(57)【特許請求の範囲】
【請求項１】
既設指紋端末器と、
この既設指紋端末器とは機種又は指紋データの型を異にする新設指紋端末器と、
上記既設指紋端末器に登録された指紋データを上記新設指紋端末器用の登録指紋データに変換する指紋データ変換手段と、
上記新設指紋端末器から入力された照合用指紋データと上記変換された登録指紋データとを照合し、両者が一致した回数が規定値を超えると上記照合用指紋データを上記新設指紋端末器に再登録するデータ処理手段と
を備えてなる指紋照合装置。
【請求項２】
指紋の登録及び照合の機能を持つ既設指紋端末器と、
この既設指紋端末器とは機種又は指紋データの型を異にし、指紋の登録及び照合の機能を持つ新設指紋端末器と
を有し、
上記既設指紋端末器に登録された指紋データを上記新設指紋端末器用の登録指紋データに変換する指紋データ変換手段と、
上記変換された登録指紋データを記憶する指紋記憶装置と、
上記新設指紋端末器から入力された照合用指紋データと上記変換された登録指紋データとを照合する照合手段と、
上記照合結果をカウントするカウント手段と、
上記カウント値が規定値を超えると上記照合用指紋データを上記指紋記憶装置に再登録する指紋再登録手段と
を上記新設指紋端末器に備えてなる指紋照合装置。
【請求項３】
入力された指紋データを送出する既設指紋端末器と、
この既設指紋端末器とは機種又は指紋データの型を異にし、入力された指紋データを送出する新設指紋端末器と、
上記既設及び新設指紋端末器のすべてが接続され、上記すべての指紋端末器からの指紋データを照合する指紋認証サーバと
を有し、
上記既設指紋端末器から送出された指紋データを登録指紋データとして記憶し、かつこの登録指紋データが上記新設指紋端末器用に変換された登録指紋データを記憶する指紋記憶装置と、
上記変換された登録指紋データと上記新設指紋端末器から送出された照合用指紋データとを照合する照合手段と、
上記照合結果をカウントするカウント手段と、
上記カウント値が規定値を超えると上記照合用指紋データを上記指紋記憶装置に再登録する指紋再登録手段と
を上記指紋認証サーバに備えてなる指紋照合装置。
【発明の詳細な説明】
【０００１】
【発明の属する技術分野】
この発明は、既設の指紋端末器に新設の指紋端末器を増設する場合に用いられる指紋照合装置に関するものである。
【０００２】
【従来の技術】
特定の個人だけ扉の開閉を許可するため、指紋端末器から入力した指紋データを照合して、本人／他人を識別することはよく知られている。そして、新たに指紋端末器を増設する場合に、その機種や製造会社が異なる場合が生じる。
図４及び図５は従来の指紋照合装置の増設時の手順を説明する機能構成図を示す。
図４は既設指紋端末器１３に新設指紋端末器１を増設する場合を示す。
【０００３】
既設指紋端末器１３では、既設指紋特徴抽出手段４Ａで利用者の指紋を読み取り、指紋の特徴点を抽出し、その特徴量を指紋記憶装置２に登録する。そして、指紋の照合時、指紋記憶装置２に登録された登録指紋データと、既設指紋特徴抽出手段４Ａから抽出された照合用指紋データとを照合手段６Ａで比較し、両者の一致度から本人か他人かを識別する。
【０００４】
ここで、既設指紋端末器１３とは機種や製造会社が異なる新設指紋端末器１を増設する場合が生じたとする。その場合には、既設指紋端末器１３と新設指紋端末器１では、指紋特徴抽出手段４Ａ，４からの指紋データの型が異なる。そのため、既設指紋端末器１３で登録した指紋記憶装置２の登録指紋データを、新設指紋端末器１の指紋データとして用いることはできない。そのため、新設指紋端末器１を用いる場合には、利用者全員に対して新たに指紋データを登録しなければならない。
【０００５】
図５は図４の不便を解決するための例で、既に登録された指紋データを新設指紋端末器１用に変換するものである。
すなわち、既設指紋端末器１３に登録された登録指紋データを読み出して、指紋データ変換手段３により、新設指紋端末器１で照合可能な指紋データに変換して、指紋記憶装置５にそのまま記憶させて、照合時に新設指紋特徴抽出手段４からの照合用指紋データと照合手段６で照合するようにしたものである。
【０００６】
【発明が解決しようとする課題】
図４に示すような従来の指紋照合装置では、既設指紋端末器１３及びこれと互換性がない新設指紋端末器１とを独立した機器として扱っているため、新設指紋端末器１に利用者全員が指紋を再登録をする必要がある。登録人数が少ない場合には実用的であるが、登録人数が数１００人を超える場合には、再登録は繁雑であり、再登録に時間がかかるという問題点がある。
【０００７】
また、図５に示すような従来の指紋照合装置では、既設指紋端末器１３に登録された指紋データを、指紋データ変換手段３によって、新設指紋端末器１用に変換して使用しているため、データ変換による照合精度が劣化し、誤認識が多くなるという問題点がある。
【０００８】
この発明は上記問題点を解消するためになされたもので、繁雑な再登録作業を必要とせず、かつ誤認識率を下げることができるようにした指紋照合装置を提供することを目的とする。
【０００９】
【課題を解決するための手段】
この発明の第１発明に係る指紋照合装置は、既設指紋端末器に登録された指紋データを新設指紋端末器用の登録指紋データに変換し、新設指紋端末器から入力された照合用指紋データと上記変換された登録指紋データとを照合し、両者が一致した回数が規定値を超えると照合用指紋データを新設指紋端末器に再登録するようにしたものである。
【００１０】
また、第２発明に係る指紋照合装置は、既設指紋端末器に登録された指紋データを新設指紋端末器用の登録指紋データに変換して記憶し、新設指紋端末器から入力された照合用指紋データと上記変換された登録指紋データとを照合し、その照合結果をカウントし、このカウント値が規定値を超えると照合用指紋データを再登録するようにしたものである。
【００１１】
また、第３発明に係る指紋照合装置は、既設及び新設指紋端末器のすべてを指紋認証サーバに接続し、既設指紋端末器から送出された指紋データを登録指紋データとして記憶し、かつこの登録指紋データが新設指紋端末器用に変換された登録指紋データを記憶し、上記変換された登録指紋データと新設指紋端末器から送出された照合用指紋データとを照合し、その照合結果をカウントし、このカウント値が規定値を超えると照合用指紋データを再登録するようにしたものである。
【００１３】
【発明の実施の形態】
実施の形態１．
図１及び図２はこの発明の第１、第２及び第４発明の一実施の形態を示す図で、図１は機能構成図、図２は動作フローチャートである。
図１において、１は増設される新設指紋端末器で、既設指紋端末器（図示しない）と機種や指紋データの型が異なるものとする。２は既設指紋端末器に設けられ利用者の指紋画像の特徴量を登録する指紋記憶装置で、登録指紋データＹｏを出力する。３は登録指紋データＹｏを新設指紋端末器１上で照合可能な登録指紋データＹｏｔに変換する指紋データ変換手段である。
【００１４】
４は指紋をセンサ（図示しない）で読み取り、指紋の特徴点を抽出する新設指紋特徴抽出手段で、照合用指紋データＹｎを出力する。５は照合用指紋データＹｎ及び登録指紋データＹｏｔを登録する指紋記憶装置、６は登録指紋データＹｏｔと照合用指紋データＹｎを比較して照合結果信号６ａを出力する照合手段、７は照合結果信号６ａからＯＫ回数をカウントするＯＫカウンタ、８は上記ＯＫ回数の規定値である。
【００１５】
９はＯＫカウンタ７の出力と規定値８を比較する比較手段、１０は比較手段９の比較結果により、指紋記憶装置５に照合用指紋データＹｎを再登録する指紋再登録手段である。
【００１６】
次に、この実施の形態の動作を図２を参照して説明する。
今、既設指紋端末器が設置されており、ここに新設指紋端末器１を増設するものとする。
ステップＳ１で新設時にＯＫカウンタ７のカウント値Ｃを零にする。ステップＳ２で既設指紋端末器内の指紋記憶装置２から出力される登録指紋データＹｏを、指紋データ変換手段３により変換し、新設指紋端末器１の登録指紋データＹｏｔとして、指紋記憶装置５に記憶する。
【００１７】
指紋照合に際して、利用者が新設指紋端末器１に指を置くと、ステップＳ３で新設指紋特徴抽出手段４は指紋を読み取り、指紋の特徴点を抽出して、照合用指紋データＹｎを出力する。ステップＳ４で照合手段６は、変換された登録指紋データＹｏｔと照合用指紋データＹｎを照合し、照合結果信号６ａを出力する。すなわち、本人（ＯＫ）か他人（ＮＧ）かを識別する。ステップＳ５でＯＫカウンタ７はＯＫの回数を利用者ごとにカウントし、カウント数をＣとする。
【００１８】
ステップＳ６でカウント数Ｃが規定値Ｋよりも大きいかを判定する。規定値Ｋ以下の場合には、ステップＳ２へ戻り変換された登録指紋データＹｏｔを用いて照合を実施する。一方、ステップＳ６でカウント数Ｃが規定値Ｋよりも大きい場合は、ステップＳ７へ進み、指紋再登録手段１０により指紋記憶装置５に照合用指紋データＹｎを自動的に記憶して、以後はこの照合用指紋データＹｎを登録指紋データとして指紋照合を実施する。
【００１９】
ここで、ステップＳ２は指紋データ変換手段３を、ステップＳ３，Ｓ４は照合手段６を、ステップＳ５はカウント手段７を、ステップＳ６，Ｓ７は指紋再登録手段１０を構成している。なお、ステップＳ３〜Ｓ７はデータ処理手段を構成している。
このようにして、登録指紋データの異なる新設指紋端末器１を増設する場合に、既設の登録指紋データＹｏを新設指紋端末器用の登録指紋データＹｏｔに変換し、この登録指紋データＹｏｔと、新設指紋端末器１で読み取られた照合用指紋データＹｎとを照合する。
【００２０】
そして、その照合結果がＯＫとなった回数をカウントし、そのカウント数が規定値Ｋよりも大きい場合には、照合用指紋データＹｎを新たな登録指紋データとすることにより、再登録の繁雑さをなくし、かつ変換による誤認識の多発を減少することが可能となる。
【００２１】
実施の形態２．
図３はこの発明の第３及び第４発明の一実施の形態を示す機能構成図である。
図において、新設指紋端末器１は新設指紋特徴抽出手段４とこれに接続された通信装置１２で構成され、既設指紋端末器１３は既設指紋特徴抽出手段１４とこれに接続された通信装置１５で構成されている。
【００２２】
１６は既設及び新設指紋端末器１３，１からの照合要求により指紋照合を実施する指紋認証サーバで、指紋記憶装置１７は図１の指紋記憶装置２，５が一体となっている。１８は指紋記憶装置１７及び照合手段６に接続された通信装置で、既設及び新設指紋端末器１３，１の通信装置１５，１２に接続されている。なお、３，６〜１０は図１と同様である。
【００２３】
次に、この実施の形態について、図１と異なる部分について動作を説明する。
既設及び新設指紋端末器１３，１の指紋特徴抽出手段１４，４から出力される照合用指紋データＹｎは、それぞれ通信装置１５，１２から送出され、通信装置１８を介して指紋認証サーバ１６で受信され、指紋記憶装置１７に記憶される。
【００２４】
ここで、既設指紋端末器１３からの照合用指紋データＹｎは、指紋記憶装置１７に記憶され、照合時に登録指紋データＹｏとなり、通信装置１８で受信した照合用指紋データＹｎと照合手段６により比較して、その照合結果信号６ａを通信装置１８を介して既設指紋端末器１３へ返す。
一方、既設指紋端末器１３とは機種や指紋データの型が異なる新設指紋端末器１を増設する場合、既設指紋端末器１３で作成した登録指紋データＹｏは指紋記憶装置１７に格納されている。
【００２５】
この登録指紋データＹｏは指紋データ変換手段３により変換して、新設指紋端末器１用の登録指紋データＹｏｔを、新たに指紋記憶装置１７に記憶する。更に、新設指紋端末器１から指紋認証要求があった場合は、実施の形態１と同様に、変換後の登録指紋データＹｏｔを用いて照合を実施し、照合結果を通信装置１８を介して返送する。ここで、照合ＯＫの回数が規定値８を越えた場合は、その照合用指紋データＹｏｔを新たな登録指紋データとして用いる。その詳細は実施の形態１と同様のため説明は省略する。
【００２６】
上述のように、既設指紋端末器１３からの認証要求に対しては、登録指紋データＹｏを、また新設指紋端末器１からの認証要求に対しては登録指紋データＹｏｔを、それぞれ照合比較の対象として、既設及び新設の両方からの認証要求に指紋認証サーバ１６が応答可能とする。
【００２７】
このようにして、登録指紋データの異なる新設指紋端末器１を増設する場合に、既設の登録指紋データＹｏを新設指紋端末器１用に変換し、この変換された登録指紋データＹｏｔで新設指紋端末器１からの照合用指紋データＹｎと照合する。そして、その照合結果がＯＫとなった回数をカウントし、そのカウント数が規定値Ｋよりも大きい場合には、照合用指紋データＹｎを新たな登録指紋データとすることにより、再登録の繁雑さをなくし、かつ変換による誤認識の多発を減少することが可能となる。
【００２８】
【発明の効果】
以上説明したとおりこの発明の第１発明では、既設指紋端末器に登録された指紋データを新設指紋端末器用の登録指紋データに変換し、新設指紋端末器から入力された照合用指紋データと上記変換された登録指紋データとを照合し、両者が一致した回数が規定値を超えると照合用指紋データを新設指紋端末器に再登録するようにしたので、再登録の繁雑さをなくし、かつ変換による誤認識の多発を減少することができる。また、誤認識率を実状に応じて調整することができる。
【００２９】
また、第２発明では、第１発明の主要部を新設指紋端末器に内蔵したものに適用し、第３発明では第１発明の主要部を既設及び新設指紋端末器が接続された指紋認証サーバに内蔵したものに適用したので、再登録の繁雑さをなくし、かつ変換による誤認識の多発を減少することができる。また、誤認識率を実状に応じて調整することができる。
【図面の簡単な説明】
【図１】この発明の実施の形態１を示す機能構成図。
【図２】この発明の実施の形態１を示す動作フローチャート。
【図３】この発明の実施の形態２を示す機能構成図。
【図４】従来の指紋照合装置を示す機能構成図。
【図５】従来の指紋照合装置を示す機能構成図。
【符号の説明】
１  新設指紋端末器、２  指紋記憶装置、３  指紋データ変換手段、４  新設指紋特徴抽出手段、５  指紋記憶装置、６  照合手段、７  カウント手段（ＯＫカウンタ）、８  規定値、９  比較手段、１０  再登録手段、１２  通信装置、１３  既設指紋端末器、１４  既設指紋特徴抽出手段、１５  通信装置、１７  指紋記憶装置、１８  通信装置。
Ｓ２  指紋データ変換手段、Ｓ３，Ｓ４  照合手段、Ｓ５  カウント手段、Ｓ６，Ｓ７  指紋再登録手段、Ｓ３〜Ｓ７  データ処理手段。
【図１】
0004590079.tif 000002
【図２】
0004590079.tif 000003
【図３】
0004590079.tif 000004
【図４】
0004590079.tif 000005
【図５】
0004590079.tif 000006